(57)【要約】【課題】遠赤外線放射体を効果的に洗浄でき、遠赤外線の効果を継続して得ることができる加熱調理器を提供することを目的とする。【解決手段】調理物３を収容する調理室１と、調理室１内において調理物３の上面を加熱する上面加熱手段４と、調理物３の下面を加熱する下面加熱手段５と、調理室１内において加熱され調理物３に向けて遠赤外線を放射する遠赤外線放射体６とを備え、前記遠赤外線放射体６は、調理室１に対して取外し可能としたものである。これによって、油煙などが遠赤外線放射体６に付着しても、調理室１から遠赤外線放射体６を取外し効果的に洗浄することができ、洗浄後の遠赤外線放射体６を調理室１に戻すことで、初期だけでなく遠赤外線の効果を継続して得ることができる。【選択図】図１
2009072252.tif 000002
【特許請求の範囲】
【請求項１】
調理物を収容する調理室と、調理室内において調理物の上面を加熱する上面加熱手段と、調理物の下面を加熱する下面加熱手段と、調理室内において加熱され調理物に向けて遠赤外線を放射する遠赤外線放射体とを備え、前記遠赤外線放射体は、調理室に対して取外し可能とした加熱調理器。
【請求項２】
遠赤外線放射体は、調理室の上部と上面加熱手段間、または調理室の側面の少なくとも一方に備え、調理物に向けて遠赤外線を放射する構成とした請求項１に記載の加熱調理器。
【請求項３】
調理室に対し調理物を出し入れする扉を開け、遠赤外線放射体を調理室外へ取外すことを可能とした請求項１または２に記載の加熱調理器。
【請求項４】
遠赤外線放射体は、基材に遠赤外線放射材を担持する構成とした請求項１〜３のいずれか１項に記載の加熱調理器。
【請求項５】
遠赤外線放射材は、マンガンとクロムと銅の少なくとも１種の酸化物を主成分とする組成とした請求項４に記載の加熱調理器。
【請求項６】
遠赤外線放射材は、少なくともマンガンとクロムと銅の複合酸化物を主成分とする組成とした請求項４に記載の加熱調理器。
【請求項７】
遠赤外線放射材は琺瑯処理をした請求項４〜６のいずれか１項に記載の加熱調理器。
【請求項８】
基材はステンレス、アルミニウム鋼板、鉄鋼板の中から選ばれた１種類とした請求項４〜７のいずれか１項に記載の加熱調理器。
【請求項９】
請求項１〜８のいずれか１項に記載の加熱調理器を搭載した電磁誘導加熱式調理器。
【発明の詳細な説明】
【技術分野】
【０００１】
本発明は、遠赤外線放射体を備えた加熱調理器および電磁誘導加熱式調理器に関するものである。
【背景技術】
【０００２】
従来、この種の加熱調理器としては、調理室内の魚などの調理物を上方から加熱する加熱手段と調理室の上面との間に板状の遠赤外線放射体を設けたもの（例えば、特許文献１参照）、または調理物を上方から加熱する加熱手段を覆うように筒状または半円状の遠赤外線放射体を設けたもの（例えば、特許文献２参照）、などが知られている。
【特許文献１】特開昭６２−１３１４９０号公報
【特許文献２】特開平２−２７９１１７号公報
【発明の開示】
【発明が解決しようとする課題】
【０００３】
しかしながら、前記従来の構成では、いずれも遠赤外線放射体は、調理中に調理物から発生する油煙などで汚染されてしまい、遠赤外線の放射量が低下するものであった。そこで、遠赤外線放射体に付着した油煙などを拭取ればよいが、遠赤外線放射体は調理室の一定箇所に固定されているものであり、しかも調理室には加熱手段など他の部材もあって、作業性が極めて悪く、油煙などを取り除くことは困難なものである。
【０００４】
本発明は、前記従来の課題を解決するもので、遠赤外線放射体を効果的に洗浄でき、遠赤外線の効果を継続して得ることができる加熱調理器および電磁誘導加熱式調理器を提供することを目的とする。
【課題を解決するための手段】
【０００５】
前記従来の課題を解決するために、本発明の加熱調理器は、調理物を収容する調理室と、調理室内において調理物の上面を加熱する上面加熱手段と、調理物の下面を加熱する下面加熱手段と、調理室内において加熱され調理物に向けて遠赤外線を放射する遠赤外線放射体とを備え、前記遠赤外線放射体は、調理室に対して取外し可能としたものである。
【０００６】
これによって、油煙などが遠赤外線放射体に付着しても、調理室から遠赤外線放射体を取外し効果的に洗浄することができ、洗浄後の遠赤外線放射体を調理室に戻すことで、初期だけでなく遠赤外線の効果を継続して得ることができる。
【０００７】
また、本発明の電磁誘導加熱式調理器は、遠赤外線放射体が取外し可能な加熱調理器を搭載したものである。
【０００８】
これによって、遠赤外線の効果を継続して得ることができるとともに、電磁誘導加熱式と相俟って効果的な調理ができる。
【発明の効果】
【０００９】
本発明の加熱調理器および電磁誘導加熱式調理器は、遠赤外線放射体を効果的に洗浄でき、遠赤外線の効果を継続して得ることができる。
【発明を実施するための最良の形態】
【００１０】
第１の発明は、調理物を収容する調理室と、調理室内において調理物の上面を加熱する上面加熱手段と、調理物の下面を加熱する下面加熱手段と、調理室内において加熱され調理物に向けて遠赤外線を放射する遠赤外線放射体とを備え、前記遠赤外線放射体は、調理室に対して取外し可能とした加熱調理器とすることにより、油煙などが遠赤外線放射体に付着しても、調理室から遠赤外線放射体を取外し効果的に洗浄することができ、洗浄後の遠赤外線放射体を調理室に戻すことで、初期だけでなく遠赤外線の効果を継続して得ることができる。
【００１１】
第２の発明は、特に、第１の発明において、遠赤外線放射体は、調理室の上部と上面加熱手段間、または調理室の側面の少なくとも一方に備え、調理物に向けて遠赤外線を放射する構成としたことにより、遠赤外線の効果を継続して得ることができることに加え、調理物に向けて遠赤外線を効果的に放射することができる。
【００１２】
第３の発明は、特に、第１または第２の発明において、調理室に対し調理物を出し入れする扉を開け、遠赤外線放射体を調理室外へ取外すことを可能としたことにより、遠赤外線放射体を取り付ける際に調理物を出し入れする扉を閉めることで、調理室内と調理室外を完全に分けることができ、遠赤外線放射体を取り付けたときに調理室外に油煙などを漏らすことがない。
【００１３】
第４の発明は、特に、第１〜第３のいずれか１つの発明において、遠赤外線放射体は、基材に遠赤外線放射材を担持する構成としたことにより、上面加熱手段および下面加熱手段からの熱を遠赤外線放射材が吸収し、調理物に向けて一層効率よく遠赤外線を放射することができ、遠赤外線の効果が一層得られる。
【００１４】
第５の発明は、特に、第４の発明において、遠赤外線放射材は、マンガンとクロムと銅の少なくとも１種の酸化物を主成分とする組成としたことにより、第４の発明と同様、上面加熱手段および下面加熱手段からの熱を遠赤外線放射材が吸収し、調理物に向けて一層効率よく遠赤外線を放射することができ、遠赤外線の効果が一層得られる。
【００１５】
第６の発明は、特に、第４の発明において、遠赤外線放射材は、少なくともマンガンとクロムと銅の複合酸化物を主成分とする組成としたことにより、第４、第５の発明と同様、上面加熱手段および下面加熱手段からの熱を遠赤外線放射材が吸収し、調理物に向けて一層効率よく遠赤外線を放射することができ、遠赤外線の効果が一層得られる。
【００１６】
第７の発明は、特に、第４〜第６のいずれか１つの発明において、遠赤外線放射材は琺瑯処理をしたことにより、上面加熱手段および下面加熱手段からの熱を遠赤外線放射材が吸収し調理物に向けて遠赤外線を放射することができる。さらに調理器を使用することによって調理物から発生する油煙などが遠赤外線放射材に付着することにより、遠赤外線放射材が油煙などで覆われ、機器の使用とともに遠赤外線の放射量が低下するが、琺瑯処理を行っているので、遠赤外線放射材を傷つけることなく洗浄することで、容易に油煙などを除去することができる。
【００１７】
第８の発明は、特に、第４〜第７のいずれか１つの発明において、基材はステンレス、アルミニウム鋼板、鉄鋼板の中から選ばれた１種類としたことにより、遠赤外線放射材が油煙などで覆われても、遠赤外線放射体を傷つけることなく油煙などを除去することができる。洗浄後の遠赤外線放射体を使用すれば初期だけでなく調理物に遠赤外線の効果が継続して得られる。
【００１８】
第９の発明は、特に、第１〜第８のいずれか１つの発明における加熱調理器を搭載した電磁誘導加熱式調理器とすることにより、遠赤外線の効果を継続して得ることができるとともに、電磁誘導加熱式と相俟って効果的な調理ができる。
【００１９】
以下、本発明の実施の形態について、図面を参照しながら説明する。なお、この実施の形態によって本発明が限定されるものではない。
【００２０】
（実施の形態１）
図１、図２は、本発明の実施の形態１における加熱調理器を示すものである。
【００２１】
図１に示すように、本実施の形態における加熱調理器８は、魚などの調理物３を収容する調理室１と、調理室１内において調理物３の上面を加熱する上面加熱手段４と、調理物３の下面を加熱する下面加熱手段５と、調理室１内において加熱され調理物３に向けて遠赤外線を放射する板状の遠赤外線放射体６とを備えている。また、調理室１内には、受け皿７と、この受け皿７上に装備した焼き網２を備えており、調理物３は焼き網２上に載置されている。また、調理室１の開口部には、調理室１に対し調理物３を出し入れする扉９を矢印に示すように水平方向に移動させて開閉するように設けている。扉９の開閉に連動して受け皿７は移動するよう連結しており、焼き網２と調理物３も同時に移動するようになっている。扉９は取っ手９ａをもって操作されるものである。
【００２２】
そして、前記遠赤外線放射体６は、調理室１に対して取外し可能としたものであり、本実施の形態では、扉９を開けることにより調理室１の開口部から外へ取外すことを可能としている。また、遠赤外線放射体６は、調理室１の上部と上面加熱手段４間に配置しているが、調理室１の側面に配置してもよい。すなわち、遠赤外線放射体６は、調理室１の上部と上面加熱手段４間、または調理室１の側面の少なくとも一方に備えており、調理物３に向けて遠赤外線を放射する構成としている。
【００２３】
遠赤外線放射体６の調理室１に対しての取外し可能な構成は特に限定されるものではないが、図２にその一例を示している。図に示すように、調理室１の左右両側面に上下に間隔をおいて複数の支持部材１０を設け、この上下の支持部材１０の間隔に遠赤外線放射体６をスライドさせるようにしている。これにより、遠赤外線放射体６は必要に応じて調理室１に対して取外しが可能となる。なお、遠赤外線放射体６の調理室１に対しての取外し可能な構成は、図２に示す構成以外にも種々考えられるものであり、複数の支持部材１０に代えてレール構成にしてもよく、また単なる受け部材を設けて遠赤外線放射体６を載置するようにしてもよく、その構成は特定されるものではない。
【００２４】
以上のように構成された加熱調理器について、以下その動作、作用を説明する。
【００２５】
まず、焼き網２上に載せた調理物３は、図示していない操作部を操作することにより上面加熱手段４と、下面加熱手段５が入力され加熱により調理されると同時に、上面加熱手段４と調理室１の上部との間に備えた遠赤外線放射体６は上面加熱手段４により加熱され、遠赤外線を調理物３に向けて放射する。遠赤外線を受けた調理物３は表面の調理性能が早くなり、調理物３の内部は上面加熱手段４と下面加熱手段５からの熱により調理される。調理中の油煙などは、図１の矢印に示すように、調理室１外へと排出されるものである。図示していないが、油煙などは排出の途中で触媒層などを通過するようになっている。
【００２６】
ここで、遠赤外線放射体６の構成を変えて加熱調理器の評価を行った実験について説明する。
【００２７】
（実験１）
本発明の加熱調理器として、図１に示す構成の加熱調理器を用いた。本発明の加熱調理器１Ａは、遠赤外線放射体６としてステンレス基材に遠赤外線放射材としてセラミックを担持し、上面加熱手段４と下面加熱手段５としてシーズヒータを用いた。比較として、従来例の加熱調理器１Ｂは、調理室内に固定された遠赤外線放射体を用いた。
【００２８】
加熱調理器１Ａ、１Ｂについて以下の手段を用いて評価を行った。調理室１に秋刀魚４匹を入れ、調理開始から秋刀魚表面に適切な焼色が着くまでの調理時間を測定した。結果を（表１）に示す。秋刀魚の表面に焼色が着く指標として、秋刀魚表面の色彩を測定し、Ｌ値を求めた。Ｌ値とは焼色の指標として用いられる値であり、調理を行っていない生の秋刀魚であればＬ値は７０、炭であればＬ値は２０である。秋刀魚の焼色として適切な値としてＬ値は３０〜４０であればよく、本実験では秋刀魚表面のＬ値が３０〜４０になるまでの調理時間を求めた。さらに、加熱調理器１Ａは１回の調理が終了すれば遠赤外線放射体６を取外して洗浄を行い、３回繰返し測定を行った。一方、加熱調理器１Ｂは１回の調理終了後、遠赤外線放射板が取り外せないため洗浄はできなかったが、３回繰返し測定を行った。
【００２９】
【表１】
2009072252.tif 000003
【００３０】
（表１）から明らかなように、本発明の加熱調理器１Ａの方が、従来例の加熱調理器１Ｂよりも秋刀魚表面に焼色の着くまでの時間が短いことがわかる。これにより、本発明の加熱調理器は遠赤外線放射体６を洗浄できることで、特に繰返し調理を行った場合でも秋刀魚表面の焼色が着くまでの時間を短くできることがわかる。
【００３１】
（実験２）
本発明の加熱調理器として、図１に示す構成の加熱調理器を用いた。本発明の加熱調理器２Ａは、遠赤外線放射体６としてステンレス基材に遠赤外線放射材を担持し、上面加熱手段４と下面加熱手段５としてシーズヒータを用いた。そして、遠赤外線放射材として酸化マンガン、酸化クロム、酸化銅、酸化マンガン＋酸化クロム＋酸化銅、マンガンとクロムと銅の複合酸化物と変えて、以下の手段を用いて評価を行った。加熱調理器の調理室１に秋刀魚４匹を入れ、調理開始から秋刀魚表面に適切な焼色が着くまでの調理時間を測定した。結果を（表２）に示す。本実験では秋刀魚表面のＬ値が３０〜４０になるまでの調理時間を求めた。さらに、１回の調理が終了すれば遠赤外線放射体６を取外して洗浄を行い、３回繰返し測定を行った。
【００３２】
【表２】
2009072252.tif 000004
【００３３】
（表２）から明らかなように、本発明の加熱調理器２Ａは、遠赤外線放射材を変えて繰返し調理を行った場合でも、秋刀魚表面に焼色の着くまでの時間が短いことがわかる。
【００３４】
（実験３）
本発明の加熱調理器として、図１に示す構成の加熱調理器を用いた。本発明の加熱調理器３Ａは、遠赤外線放射体６としてステンレス基材に遠赤外線放射材を担持し、上面加熱手段４と下面加熱手段５としてシーズヒータを用いた。そして、遠赤外線放射材は琺瑯処理を行って、以下の手段を用いて評価を行った。加熱調理器の調理室１に秋刀魚４匹を入れ、調理開始から秋刀魚表面に適切な焼色が着くまでの調理時間を測定した。結果を（表３）に示す。本実験では秋刀魚表面のＬ値が３０〜４０になるまでの調理時間を求めた。さらに、１回の調理が終了すれば遠赤外線放射体６を取外して洗浄を行い、３回繰返し測定を行った。
【００３５】
【表３】
2009072252.tif 000005
【００３６】
（表３）から明らかなように、琺瑯処理の本発明の加熱調理器３Ａは、遠赤外線放射材として単にセラミックを用いた場合に比較して、繰返し調理を行った場合でも、秋刀魚表面に焼色の着くまでの時間が短いことがわかる。
【００３７】
（実験４）
本発明の加熱調理器として、図１に示す構成の加熱調理器を用いた。本発明の加熱調理器４Ａは、遠赤外線放射体６として基材に遠赤外線放射材としてセラミックを担持し、上面加熱手段４と下面加熱手段５としてシーズヒータを用いた。そして、基材としてステンレス、アルミニウム鋼板、鉄鋼板と変えて、以下の手段を用いて評価を行った。加熱調理器の調理室１に秋刀魚４匹を入れ、調理開始から秋刀魚表面に適切な焼色が着くまでの調理時間を測定した。結果を（表４）に示す。本実験では秋刀魚表面のＬ値が３０〜４０になるまでの調理時間を求めた。さらに、１回の調理が終了すれば遠赤外線放射体６を取外して洗浄を行い、３回繰返し測定を行った。
【００３８】
【表４】
2009072252.tif 000006
【００３９】
（表４）から明らかなように、本発明の加熱調理器４Ａは、いずれも繰返し調理を行った場合でも、秋刀魚表面に焼色の着くまでの時間が短いことがわかる。
【００４０】
このように、本実施の形態では、遠赤外線放射体を調理室に対して取外し可能としたことによって、油煙などが遠赤外線放射体に付着しても、調理室から遠赤外線放射体を取外し効果的に洗浄することができ、洗浄後の遠赤外線放射体を調理室に戻すことで、初期だけでなく遠赤外線の効果を継続して得ることができる。
【００４１】
（実施の形態２）
図３は、本発明の実施の形態２における電磁誘導加熱式調理器を示している。
【００４２】
図に示すように、本実施の形態における電磁誘導加熱式調理器は、鍋などを載置するトッププレート１１および制御操作部１２などを備えている。トッププレート１１の下方には誘導加熱コイルを配置している。図は３口タイプを例示している。
【００４３】
そして、トッププレート１１の下方で制御操作部１２の隣には、実施の形態１で示した加熱調理器８が一体に搭載されているものである。したがって、この電磁誘導加熱式調理器により、鍋などの誘導加熱と魚焼きなどが行えるものである。
【００４４】
このように、本実施の形態では、遠赤外線の効果を継続して得ることができるとともに、電磁誘導加熱式と相俟って効果的な調理ができる。
【産業上の利用可能性】
【００４５】
以上のように、本発明にかかる加熱調理器は、遠赤外線放射体を効果的に洗浄でき、遠赤外線の効果を継続して得ることができるので、調理器の方式に関係なく調理器全般に適用できる。また、本発明にかかる電磁誘導加熱式調理器は、誘導加熱と魚焼きなどが効果的に調理できるので、一般家庭に限らず業務用などにも適用できる。
【図面の簡単な説明】
【００４６】
【図１】本発明の実施の形態１における加熱調理器の構成を示す断面図
【図２】同加熱調理器の要部構成の一例を示す斜視図
【図３】本発明の実施の形態２における電磁誘導加熱式調理器の構成を示す斜視図
【符号の説明】
【００４７】
１  調理室
３  調理物
４  上面加熱手段
５  下面加熱手段
６  遠赤外線放射体
８  加熱調理器
９  扉
【図１】
2009072252.tif 000007
【図２】
2009072252.tif 000008
【図３】
2009072252.tif 000009